(57)【要約】【課題】安全性と作業性に優れたクロスカット丸鋸盤を提供する。【課題手段】  木材Ｗを上載し、木材Ｗの背面に当接する位置決め突部１１を有する定盤１０と、定盤１０の下位に位置し、上昇して木材Ｗを切断する丸鋸２０と、丸鋸２０の上方に設けられ、下降して、木材Ｗを定盤１０に押し付けて固定し、少なくとも、丸鋸２０の上側部分を覆う昇降カバー３０と、定盤１０の前側に設けられ、前端部に木材Ｗの前面を押圧して、木材Ｗを位置決め突部１１との間で固定する押圧部４１を有し、丸鋸２０の左右両側面と前面を覆う移動カバー４０と、移動カバー４０の略前半部を囲むように設けられた固定部材５０と、固定部材５０の左右両側面のそれぞれに取り付けられ、両者を押さえることによって移動カバー４０を前進させる一対のスタートスイッチ６０とで構成する。【選択図】      図１
2006326837.tif 000002
【特許請求の範囲】
【請求項１】
主として，長尺状の木材（Ｗ）を自動的にクロスカットするために使用する丸鋸盤であって、前記木材を上載し，該木材の背面に当接する位置決め突部（１１）を有する定盤（１０）と、前記定盤の下位に昇降動自在に位置し，上昇して前記木材を切断する丸鋸（２０）と、前記丸鋸の上方に昇降動自在に設けられ，下降して，前記木材を前記定盤に押し付けて固定し，少なくとも，前記丸鋸の上側部分を覆う昇降カバー（３０）と、前記定盤の前側に前後方向に進退動自在に設けられ，前端部に前記木材の前面を押圧して，該木材を前記位置決め突部との間で固定する押圧部（４１）を有し，前記丸鋸の左右両側面と前面を覆い，前記昇降カバーと協働して，前記定盤から露出している前記丸鋸の全体を覆う平面Ｕ字状の移動カバー（４０）と、前記移動カバーの略前半部を囲むように設けられた平面Ｕ字状の固定部材（５０）と、前記固定部材の左右両側面のそれぞれに取り付けられ，両者を押さえることによって前記移動カバーを前進させる一対のスタートスイッチ（６０）と、からなるクロスカット丸鋸盤。
【請求項２】
主として，長尺状の木材Ｗを自動的にクロスカットするために使用する丸鋸盤であって、前記木材を上載し，該木材の背面に当接する位置決め突部（１１）を有する定盤（１０）と、前記定盤の下位に昇降動自在に位置し，上昇して前記木材を切断する丸鋸（２０）と、前記丸鋸の上方に昇降動自在に設けられ，下降して，前記木材を前記定盤に押し付けて固定し，少なくとも，前記丸鋸の上側部分を覆う昇降カバー（３０）と、前記定盤の前側に前後方向に進退動自在に設けられ，前端部に前記木材の前面を押圧して，該木材を前記位置決め突部との間で固定する押圧部（４１）を有し，前記丸鋸の左右両側面と前面を覆い，前記昇降カバーと協働して，前記定盤から露出している前記丸鋸の全体を覆う平面Ｕ字状の移動カバー（４０）と、前記移動カバーの略前半部を囲むように設けられた平面Ｕ字状の固定部材（５０）と、前記固定部材の左右両側面のそれぞれに取り付けられ，両者を押さえることによって前記移動カバーを前進させる一対のスタートスイッチ（６０）と、からなり、さらに，前記固定部材の上端に，透明板（５１）を設けると共に，該固定部材の前面に，前記丸鋸（２０）の回転を停止させる非常停止スイッチ（５２）を設けてなるクロスカット丸鋸盤。
【発明の詳細な説明】
【技術分野】
【０００１】
本発明は、安全性と作業性に優れたクロスカット丸鋸盤に関するものである。
【背景技術】
【０００２】
従来から、例えば、長尺状の木材をクロスカット（横切り）するための丸鋸盤が多く使用されている。
【０００３】
この丸鋸盤は、通常、長尺状の木材をバイスで固定し、回転する丸鋸をその上方から降下、あるいは後方から前進させて切断するように構成されている。
【発明の開示】
【発明が解決しようとする課題】
【０００４】
しかし、こうした従来の丸鋸は、当該丸鋸および木材の切断部分が全体的あるいは部分的に露出しているので、作業者に丸鋸の刃が接触したり、木材の切り屑が当たる等するため安全性に問題がある。そのため、作業が中断する等して作業性が劣るといった問題も生じる。
【０００５】
本発明はこうした問題に鑑み創案されたもので、安全性と作業性に優れたクロスカット丸鋸盤を提供することを課題とする。
【課題を解決するための手段】
【０００６】
図１乃至図３を参照して説明する。請求項１に記載のクロスカット丸鋸盤１は、主として、長尺状の木材Ｗを自動的にクロスカットするために使用する丸鋸盤であって、前記木材Ｗを上載し、当該木材Ｗの背面に当接する位置決め突部１１を有する定盤１０と、前記定盤１０の下位に昇降動自在に位置し、上昇して前記木材Ｗを切断する丸鋸２０と、前記丸鋸２０の上方に昇降動自在に設けられ、下降して、前記木材Ｗを前記定盤１０に押し付けて固定し、少なくとも、前記丸鋸２０の上側部分を覆う昇降カバー３０と、前記定盤１０の前側に前後方向に進退動自在に設けられ、前端部に前記木材Ｗの前面を押圧して、該木材Ｗを前記位置決め突部１１との間で固定する押圧部４１を有し、前記丸鋸２０の左右両側面と前面を覆い、前記昇降カバー３０と協働して、前記定盤１０から露出している前記丸鋸２０の全体を覆う平面Ｕ字状の移動カバー４０と、前記移動カバー４０の略前半部を囲むように設けられた平面Ｕ字状の固定部材５０と、前記固定部材５０の左右両側面のそれぞれに取り付けられ、両者を押さえることによって前記移動カバー４０を前進させる一対のスタートスイッチ６０と、からなるものである。
【０００７】
請求項２に記載のクロスカット丸鋸盤１は、主として、長尺状の木材Ｗを自動的にクロスカットするために使用する丸鋸盤であって、前記木材Ｗを上載し、該木材Ｗの背面に当接する位置決め突部１１を有する定盤１０と、前記定盤１０の下位に昇降動自在に位置し、上昇して前記木材Ｗを切断する丸鋸２０と、前記丸鋸２０の上方に昇降動自在に設けられ、下降して、前記木材Ｗを前記定盤１０に押し付けて固定し、少なくとも、前記丸鋸２０の上側部分を覆う昇降カバー３０と、前記定盤１０の前側に前後方向に進退動自在に設けられ、前端部に前記木材Ｗの前面を押圧して、該木材Ｗを前記位置決め突部１１との間で固定する押圧部４１を有し、前記丸鋸２０の左右両側面と前面を覆い、前記昇降カバー３０と協働して、前記定盤１０から露出している前記丸鋸２０の全体を覆う平面Ｕ字状の移動カバー４０と、前記移動カバー４０の略前半部を囲むように設けられた平面Ｕ字状の固定部材５０と、前記固定部材５０の左右両側面のそれぞれに取り付けられ、両者を押さえることによって前記移動カバー４０を前進させる一対のスタートスイッチ６０と、からなり、また、さらに、前記固定部材５０の上端に、透明板５１を設けると共に、当該固定部材５０の前面に、前記丸鋸２０の回転移を停止させる非常停止スイッチ５２を設けてなるものである。
【発明の効果】
【０００８】
請求項１に記載のクロスカット丸鋸盤１は、丸鋸２０を定盤１０の下位に昇降動自在に設け、上昇させて木材Ｗを切断するようにし、かつ、上昇して定盤１０から露出している当該丸鋸２０の全体を、昇降カバー３０と移動カバー４０との協働によって覆うので、丸鋸２０の刃が作業者に接触するのを確実に防止することができると共に、切り屑が作業者に当たることも併せて防止することができる。従って、安全性に優れる。
【０００９】
また、固定部材５０に設けた一対のスタートスイッチ６０の両方を押さえることによって移動カバー４０を前進動させるので、その後に開始される木材Ｗの切断時に、作業者の両手はスタートスイッチ６０に置かれた状態となる。従って、作業者の手が丸鋸２０に触れるのをさらに確実に防止することができ、安全性をより高めることができる。
【００１０】
また、木材Ｗは自動的に切断されるので、作業者は手作業によって丸鋸２０を操作したり、木材Ｗを固定するといった作業を必要としない。従って、作業性にも優れる。
【００１１】
なお、木材Ｗは、押圧部４１と位置決め突部１１によってその前後両端面が挟持されると共に、定盤１０と昇降カバー３０によってその上下両端面が挟持されて固定されるので（すなわち、その四面全てが固定されるので）、丸鋸２０によって円滑かつ安全に切断される。
【００１２】
請求項２に記載のクロスカット丸鋸盤１は、請求項１に記載の発明と同様に、安全性と作業性に優れる。また、固定部材５０の上端に透明板５１を設けているので、飛散した切り屑が作業者に当たるといった事態を、さらに未然に防止することができる。これにより、安全性をより高めることができる。また、透明板５１は、透明であるため、作業者は木材Ｗの切断状況を視認することができ、作業性の向上を図ることができる。
【００１３】
また、固定部材５０の前面に、丸鋸２０の回転を停止させる非常停止スイッチ５２を設けているので、例えば、他の作業者の手や異物等が侵入した場合などの非常時に即座に丸鋸２０の停止させることができる。これによっても、安全性をさらに高めることができる。
【発明を実施するための最良の形態】
【００１４】
本発明に係るクロスカット丸鋸盤１の実施形態を、図１乃至図３に示す。
これは、ローラーコンベア２上を搬送されてくる長尺状の木材Ｗを自動的にクロスカットするために使用するもので、定盤１０、丸鋸２０、昇降カバー３０、移動カバー４０、固定部材５０および一対のスタートスイッチ６０で構成される。
【００１５】
定盤１０は、木材Ｗを上載し、当該木材Ｗの背面に当接する位置決め突部１１を有する。丸鋸２０は、定盤１０の下位に昇降動自在に位置し、自動的に上昇して木材Ｗを切断する。昇降カバー３０は、丸鋸２０の上方に昇降動自在に設けられ、自動的に下降して、木材Ｗを定盤１０に押し付けて固定すると共に、定盤１０から露出している丸鋸２０の上側部分の全体を覆う。この昇降カバー３０は、一対のアーム体３１によって円弧状に昇降動する。
【００１６】
移動カバー４０は、平面Ｕ字状で、定盤１０の前側に前後方向に進退動自在に設けられ、前端部に木材Ｗの前面を押圧して、当該木材Ｗを位置決め突部１１との間で固定する押圧部４１を有する。また、丸鋸２０の左右両側面と前面を覆い、昇降カバー３０と協働して、定盤１０から露出している丸鋸２０の全体を覆う。本実施形態における移動カバー４０の前後方向の進退動は、当該移動カバー４０の一方側にエアー式のロッドレスシリンダー４２を取付け、他方側にリニアレール４３を取付けることによって行っている。図中、符号４４はシリンダー、４５は移動体、４６はシリンダー受け、４７はシリンダー固定バーを示す。
【００１７】
なお、本発明における移動カバー４０の移動は、これに限定されるものではなく、図４に示すようなベローズシリンダー７０によって行うこともできるし、通常のロッドシリンダーによって行うこともできる。なお、図４において、符号７１はコイル鋼線入りのベローズ、７２は摺動体、７３は腕片で、図１乃至図３における移動カバー４０に連結される部分、７４は長孔ガイドで、ベローズ７１の下端部に長手方向に穿設され、腕片７３を案内する部分、７５は電磁ソレイドを示す。
【００１８】
固定部材５０は、平面Ｕ字状で、移動カバー４０のほぼ前半部を囲むように設けられている。スタートスイッチ６０は、固定部材５０の左右両側面のそれぞれに取り付けられ、両者を押さえることによって移動カバー４０を前進させる。なお、スタートスイッチ６０を押さえる操作を停止することによって、移動カバー４０は停止する。
【００１９】
なお、本実施形態では、固定部材５０の上端に、透明板５１を設けると共に、当該固定部材５０の前面に、丸鋸２０の回転を停止させる非常停止スイッチ５２を設けている。
【００２０】
本実施形態におけるクロスカット丸鋸盤１は、次のように作動する。まず、木材Ｗがローラーコンベア２によって定盤１０上に自動的に搬送され、所定の位置で停止すると、作業者が左右それぞれの手でスタートスイッチ６０を押す。これによって、移動カバー４０が前進し、その押圧部４１が木材Ｗを後方へ押圧して、定盤１０の位置決め突部１１との間で挟持して固定する。
【００２１】
それと同時に、あるいはそれと前後して、昇降カバー３０が自動的に下降して、木材Ｗを定盤１０に押し付けて固定する。その後、定盤１０の下位に設けられている丸鋸２０が自動的に上昇して木材Ｗを切断する。木材Ｗは、その前後両面が位置決め突部１１と押圧部４１とで挟持され、上下両面が昇降カバー３０と定盤１０とで挟持され、それぞれ固定されているので、安定姿勢を維持することができ、円滑かつ安全に切断される。
【００２２】
また、木材Ｗを切断中の丸鋸２０は、昇降カバー３０と移動カバー４０とによって、定盤１０から露出している部分の全体が覆われているので、丸鋸２０の刃が作業者に接触することがない。また、木材Ｗの切り屑が作業者に当たることもない。従って、きわめて安全性に優れる。なお、丸鋸２０の切断に先立って行う移動カバー４０の移動は、作業者がその両手をスタートスイッチ６０に押し当てて行うので、当該作業者の両手が丸鋸２０に接触することがない。従って、これによっても安全性を確保することができる。
【００２３】
また、木材Ｗの他に異物が存在する場合などは、非常停止スイッチ５２を押して丸鋸２０の回転を停止し、安全性を確保することができる。この場合、丸鋸２０の回転は、移動カバー４０の移動が完了して初めて行われるように設定することができる。なお、非常停止スイッチ５２を押すと、丸鋸２０の回転のみならず、その上昇も停止する。
【００２４】
さらに、このクロスカット丸鋸盤１は、木材Ｗを自動的に切断するので、作業者は手作業によって、丸鋸２０を操作したり、木材Ｗを固定するなどの作業を行う必要がない。従って、作業性に優れる。
【００２５】
また、本実施形態では、固定部材５０に透明板５１を設けているので、作業者は木材Ｗの切断状況を視認することができると共に、切り屑が作業者に当たるのをさらに確実に防止し、これにより、作業性と安全性のさらなる向上を確保することができる。
【００２６】
木材Ｗの切断が完了すると、自動的に、丸鋸２０が下降すると共に、昇降カバー３０が上昇し、さらに、移動カバー４０が後退し、木材Ｗの固定を解除して、切断工程を終了する。こうした工程を繰り返すことによって、長尺状の木材Ｗを所定長さに自動的に切断する。
【図面の簡単な説明】
【００２７】
【図１】本発明に係るクロスカット丸鋸盤の実施形態を示す平面図である。
【図２】図１に示すクロスカット丸鋸盤の右側面図である（木材を解放した状態）。
【図３】図１に示すクロスカット丸鋸盤の右側面図である（木材を固定した状態）。
【図４】本発明に係るクロスカット丸鋸盤に使用できるベローズシリンダーを示す構成図である。
【符号の説明】
【００２８】
１        クロスカット丸鋸盤
２        ローラーコンベア
１０      定盤
１１      位置決め突部
２０      丸鋸
３０      昇降カバー
３１      アーム体
４０      移動カバー
４１      押圧部
４２      ロッドレスシリンダー
４３      リニアレール
４４      シリンダー
４５      移動体
４６      シリンダー受け
４７      シリンダー固定バー
５０      固定部材
５１      透明板
５２      非常停止スイッチ
６０      スタートスイッチ
７０      ベローズシリンダー
７１      ベローズ
７２      摺動体
７３      腕片
７４      長孔ガイド
７５      電磁ソレイド
Ｗ        木材
【図１】
2006326837.tif 000003
【図２】
2006326837.tif 000004
【図３】
2006326837.tif 000005
【図４】
2006326837.tif 000006